(57)【要約】【課題】変動表示手段を遊技機の高さ方向略中央に設けた場合でも、変動表示手段の位置や大きさの自由度が高くかつ筐体の強度を確保できる遊技機を提供すること。【解決手段】遊技機１は、リールユニット７３と、操作手段と、主制御ユニット７１と、副制御ユニット７２と、これら手段が設けられた筐体４と、を備える。筐体は、箱状のキャビネット６０と、キャビネット６０を開閉する前面ドア２と、を備える。遊技機は、前面ドア２裏面の高さ方向略中央には、リールユニット７３が取り付けられ、キャビネット６０内部の高さ方向略中央には、キャビネット６０内部を上下に仕切るミドルボード６０５が設けられる。ミドルボード６０５は、前面ドア２を閉めた状態で、リールユニット７３に対応する位置に切欠部６０５ｂを設けた。【選択図】図５
2007202672.tif 000002
【特許請求の範囲】
【請求項１】
遊技に必要な識別情報を変動表示する変動表示手段と、遊技者が操作可能な操作手段と、遊技者による前記操作手段の操作に基づいて前記変動表示手段を制御する主制御手段と、画像表示による演出を行う画像表示手段と、前記主制御手段から送信される信号に基づいて前記画像表示手段を制御する副制御手段と、これら手段が設けられた筐体と、を備える遊技機であって、
前記筐体は、箱状のキャビネットと、このキャビネットを開閉する前面ドアと、を備え、
前記前面ドア裏面の高さ方向略中央には、前記変動表示手段が取り付けられ、
前記キャビネット内部の高さ方向略中央には、前記キャビネット内部を上下に仕切る補強板が設けられ、
前記補強板は、前記前面ドアを閉めた状態で、前記変動表示手段に対応する位置に切欠部を有していることを特徴とする遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、或いはリール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダル等の遊技媒体を払出すことで遊技者に利益を付与するものである。
【０００３】
現在主流の機種は、複数種類の入賞態様を有するものである。特に、所定の役の入賞が成立したときは、１回のコインの払出しに終わらず、所定期間、通常の状態よりも条件の良い遊技状態となる。このような役として、遊技者に相対的に大きい利益を与えるゲームが所定回数行える役（「ビッグボーナス」と称し、以下「ＢＢ」と略記する）と、遊技者に相対的に小さい利益を与える遊技を所定ゲーム数行える役（「レギュラーボーナス」と称し、以下「ＲＢ」と略記する）がある。
【０００４】
また、現在主流の機種においては、有効化された成立ライン（以下「有効ライン」という）に沿って所定の図柄の組合せが並び、コイン、メダル等が払出される入賞が成立するには、内部的な抽籤処理（以下「内部抽籤」という）により役に当籤（以下「内部当籤」という）し、且つその内部当籤した役（以下「内部当籤役」という）の入賞成立を示す図柄の組合せを有効ラインに停止できるタイミングで遊技者が停止操作を行うことが要求される。つまり、いくら内部当籤したとしても、遊技者の停止操作のタイミングが悪いと入賞を成立させることができない。すなわち、停止操作のタイミングに熟練した技術が要求される（「目押し」といわれる技術介入性の比重が高い）遊技機が現在の主流である。
【０００５】
ところで、近年では、遊技者を飽きさせないように、遊技の興趣性を向上する様々な演出を行うことができる遊技機の開発が望まれている。
例えば、上述の変動表示装置としてメインリールを設け、このメインリールの他に、メインリールによる演出表示を補助するサブリールを設けた遊技機が提案されている（特許文献１参照）。このサブリールは、メインリールよりも大きく形成され、遊技機の高さ方向略中央に配置されている。
この特許文献１に示された遊技機よれば、メインリールより大きく形成したサブリールにより、迫力のある演出表示を行うことができ、遊技の興趣を向上できる。
【０００６】
【特許文献１】特開２００３−３３９９４５号公報
【発明の開示】
【発明が解決しようとする課題】
【０００７】
しかしながら、上述のサブリールによる迫力のある演出表示しながらも、遊技者が最も注目する入賞態様を表示するメインリールは、遊技者の視認し易い遊技機の略中央に配置したいという要望がある。
一方、遊技機は、製造工場から遊技場への運搬時や、遊技場での設置時に外力が加えられたため、筐体の強度を十分確保することが望ましい。そのため、筐体内部の高さ方向の略中央には、補強板が設けられる。
よって、遊技機の高さ方向略中央にメインリールを配置しようとしても、筐体内部の高さ方向略中央に補強版が設けられているため、メインリールの位置や大きさが制限されるおそれがあった。
【０００８】
本発明の目的は、変動表示手段を遊技機の高さ方向略中央に設けた場合でも、変動表示手段の位置や大きさの自由度が高くかつ筐体の強度を確保できる遊技機を提供することである。
【課題を解決するための手段】
【０００９】
本発明では、以下のようなものを提供する。
【００１０】
（１）  遊技に必要な識別情報を変動表示する変動表示手段（例えば、後述のリールユニット７３）と、遊技者が操作可能な操作手段（例えば、後述の停止ボタン７Ｌ,７Ｃ,７Ｒ）と、遊技者による前記操作手段の操作に基づいて前記変動表示手段を制御する主制御手段（例えば、後述の主制御ユニット７１）と、画像表示による演出を行う画像表示手段（例えば、後述の液晶表示部５ａ）と、前記主制御手段から送信される信号に基づいて前記画像表示手段を制御する副制御手段（例えば、後述の副制御ユニット７２）と、これら手段が設けられた筐体（例えば、後述の筐体４）と、を備える遊技機であって、前記筐体は、箱状のキャビネット（例えば、後述のキャビネット６０）と、このキャビネットを開閉する前面ドア（例えば、後述の前面ドア２）と、を備え、前記前面ドア裏面の高さ方向略中央には、前記変動表示手段が取り付けられ、前記キャビネット内部の高さ方向略中央には、前記キャビネット内部を上下に仕切る補強板（例えば、後述のミドルボード６０５）が設けられ、前記補強板は、前記前面ドアを閉めた状態で、前記変動表示手段（例えば、後述のリールボックス７３１）に対応する位置に切欠部（例えば、後述の切り欠き部６０５ｂ）を有していることを特徴とする遊技機。
【００１１】
（１）記載の遊技機によれば、前面ドア裏面の高さ方向略中央に変動表示手段を取り付けるとともに、キャビネット内部の高さ方向略中央にキャビネット内部を上下に仕切る補強板を設けた。
よって、変動表示手段を遊技者の視認し易い高さに配置して、遊技の興趣を向上しつつ、補強板を設けることで、筐体の強度を確保できる。
また、補強板には、前面ドアを閉めた状態で、変動表示手段に対応する位置に切欠部を設けた。これにより、切り欠きの位置や大きさを適宜調整することで、変動表示手段の自由度を確保できるから、変動表示手段の位置や大きさの自由度を高くできる。
【発明の効果】
【００１２】
前面ドア裏面の高さ方向略中央に変動表示手段を取り付けるとともに、キャビネット内部の高さ方向略中央にキャビネット内部を上下に仕切る補強板を設けた。よって、変動表示手段を遊技者の視認し易い高さに配置して、遊技の興趣を向上しつつ、補強板を設けることで、筐体の強度を確保できる。補強板には、前面ドアを閉めた状態で、変動表示手段に対応する位置に切欠部を設けた。これにより、切り欠きの位置や大きさを適宜調整することで、変動表示手段の自由度を確保できるから、変動表示手段の位置や大きさの自由度を高くできる。
【発明を実施するための最良の形態】
【００１３】
以下、実施例の遊技機について説明する。
【実施例１】
【００１４】
図１は、本発明の一実施例の遊技機１の外観を示す斜視図である。遊技機１は、いわゆる「パチスロ機」である。この遊技機１は、コイン、メダル、遊技球又はトークン等の他、遊技者に付与された、もしくは付与される遊技価値の情報を記憶したカード等の遊技媒体を用いて遊技する遊技機であるが、以下ではメダルを用いるものとして説明する。
【００１５】
遊技機１の全体を形成している筐体４は、箱状のキャビネット６０と、このキャビネット６０を開閉する前面ドア２と、を備える。この前面ドア２正面の略中央には、縦長矩形の表示窓４Ｌ，４Ｃ，４Ｒが設けられる。
表示窓４Ｌ，４Ｃ，４Ｒには、表示ラインとして、水平方向にトップライン８ｂ、センターライン８ｃ及びボトムライン８ｄ、斜め方向にクロスアップライン８ａ及びクロスダウンライン８ｅが設けられている。
【００１６】
これらの表示ラインは、後述の１−ＢＥＴスイッチ１１、２−ＢＥＴスイッチ１２、最大ＢＥＴスイッチ１３を操作すること（以下「ＢＥＴ操作」という）、或いはメダル投入口２２にメダルを投入することにより、それぞれ１本、３本、５本が有効化される。どの表示ラインが有効化されたかは、後で説明するＢＥＴランプ９ａ，９ｂ，９ｃの点灯で表示される。
【００１７】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００１８】
前面ドア２の裏面には、複数のリール３Ｌ，３Ｃ，３Ｒと、これらリール３Ｌ，３Ｃ，３Ｒを回転駆動するステッピングモータ４９Ｌ，４９Ｃ，４９Ｒと、を収容する遊技に必要な識別情報を変動表示する変動表示手段としてのリールユニット７３がミドルドア４０を介して設けられている（図２）。なお、前面ドア２の裏面については、後に図２を参照して詳述する。
【００１９】
各リール３Ｌ，３Ｃ，３Ｒには、それぞれの外周面に、遊技に必要な複数種類の図柄によって構成される識別情報としての図柄列が描かれており、各々はリールユニット７３に回転自在に横一列に設けられている。各リール３Ｌ，３Ｃ，３Ｒの図柄は表示窓４Ｌ，４Ｃ，４Ｒを通して、遊技機１の外部から視認できるようになっている。また、各リール３Ｌ，３Ｃ，３Ｒは、定速回転（例えば８０回転／分）で回転し、図柄列を変動表示する。
【００２０】
表示窓４Ｌ，４Ｃ，４Ｒの上方には、画像表示手段としての液晶表示部５ａ、情報表示部１８、及びスピーカ９Ｌ，９Ｒが設けられる。液晶表示部５ａは、表示窓４Ｌ，４Ｃ，４Ｒよりも大きな表示面を備え、画像表示による演出を行う。情報表示部１８は、７セグメントＬＥＤから成り、貯留（クレジット）されているメダルの枚数、メダルの払出枚数等を表示する。また、スピーカ９Ｌ，９Ｒは、効果音や音声等の音による演出を行う。
【００２１】
表示窓４Ｌ，４Ｃ，４Ｒの左側には、１−ＢＥＴランプ９ａ、２−ＢＥＴランプ９ｂ、最大ＢＥＴランプ９ｃが設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。
【００２２】
１−ＢＥＴランプ９ａは、ＢＥＴ数が“１”で１本の表示ラインが有効化されたとき（１本の有効ラインが設定されたとき）に点灯する。２−ＢＥＴランプ９ｂは、ＢＥＴ数が“２”で３本の表示ラインが有効化されたとき（３本の有効ラインが設定されたとき）に点灯する。最大ＢＥＴランプ９ｃは、ＢＥＴ数が“３”で全て（５本）の表示ラインが有効化されたとき（全て（５本）の有効ラインが設定されたとき）に点灯する。
【００２３】
表示窓４Ｌ，４Ｃ，４Ｒの下方には、略水平面の台座部１０が形成されている。この台座部１０の水平面内のうち、右側にはメダル投入口２２が設けられ、左側には１−ＢＥＴスイッチ１１、２−ＢＥＴスイッチ１２、及び最大ＢＥＴスイッチ１３が設けられる。
【００２４】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００２５】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。Ｃ／Ｐスイッチ１４の右側には、遊技者の操作により上記リールを回転させ、表示窓４Ｃ内での図柄の変動表示を開始するためのスタートレバー６が所定の角度範囲で回動自在に取り付けられている。
【００２６】
台座部１０の前面部の略中央には、遊技者が操作可能な操作手段としての停止ボタン７Ｌ，７Ｃ，７Ｒが設けられている。これら３個の停止ボタン７Ｌ，７Ｃ，７Ｒは、３個のリール３Ｌ，３Ｃ，３Ｒの回転をそれぞれ停止させるために、遊技者が操作するボタンである。なお、実施例では、一のゲーム（単位遊技）は、基本的にスタートレバー６が操作されることにより開始し、全てのリール３Ｌ，３Ｃ，３Ｒが停止したときに終了する。
【００２７】
実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００２８】
前面ドア２下部の正面には、メダルが払出されるメダル払出口１５と、この払出されたメダルを貯留するメダル受け部１６とが設けられている。また、前面ドア２下部の正面のうち、停止ボタン７Ｌ，７Ｃ，７Ｒとメダル受け部１６とに上下を挟まれた面には、機種のモチーフに対応したデザインがあしらわれた腰部パネル２０が取り付けられている。
【００２９】
図２から図３を参照して、前面ドア２の裏面の構成について説明する。
図２は、前面ドア２の裏面の構成を示す斜視図である。
図３は、前面ドア２の裏面の構成を示す部分斜視図である。
【００３０】
図２に示すように、前面ドア２は、この前面ドア２の本体を形成する前面ドア本体２ｂと、この前面ドア本体２ｂの裏面に開閉自在に設けられたミドルドア４０と、を備える。
【００３１】
ミドルドア４０には、主制御手段としての主制御ユニット７１及びリールユニット７３が設けられる。
前面ドア本体２ｂの裏面には、サブベース４２を介して支持される副制御手段としての副制御ユニット７２の他、ミドルドア４０を開閉可能に支持する支持部４３が設けられている。
【００３２】
支持部４３は、図３に示すように、前面ドア本体２ｂ裏面の図３中右方に取り付けられる。この支持部４３には、ミドルドア４０に設けられる後述の回動軸４０６Ｃ，４０６Ｄがそれぞれ嵌合する図３中上下方向に延びる円筒状の軸受部４３１Ａ，４３１Ｂが形成されている。
【００３３】
図２に示すように、サブベース４２は、板状の部材であり、前面ドア２の前面に設けられた液晶表示部５ａを覆うようにして、前面ドア本体２ｂの裏面に複数のねじ４２１で取り付けられる。サブベース４２は、前面ドア本体２ｂの裏面に対し略平行に取り付けられる。また、サブベース４２の表面のうち、液晶表示部５ａを覆う領域は、略平らに形成されている。
【００３４】
副制御ユニット７２は、図３に示すように、液晶表示部５ａを制御する副制御回路７２１と、この副制御回路７２１を収容しサブベース４２の略平らに形成された領域に取り付けられる副制御回路収容ケース７２２と、液晶表示部５ａの画像表示に必要な画像情報が記憶されたＲＯＭカートリッジ７２３と、このＲＯＭカートリッジ７２３を覆うＲＯＭカバー７２４と、副制御回路７２１と他の装置とを接続するＩ／Ｏ基板７２５と、を備える。
【００３５】
副制御回路７２１は、後述の主制御回路７１１から送信される信号に基づいて液晶表示部５ａを制御する電子回路であり、サブベース４２の略平らに形成された領域のうち、図２中左方の領域に配置される。
すなわち、副制御回路７２１と液晶表示部５ａとは、サブベース４２を挟んで配置され、図示しない複数の配線で接続されている。このように、副制御回路７２１を液晶表示部５ａ裏面の近傍に設けることにより、これらの配線を短縮できる。
【００３６】
副制御回路収容ケース７２２は、略立方体状の箱であり、この副制御回路収容ケース７２２の内部には、副制御回路７２１が収められる。この副制御回路収容ケース７２２表面には、矩形状の開口７２２Ａが形成されている。この開口７２２Ａは、上述のＲＯＭカートリッジ７２３よりもやや大きく形成されている。ＲＯＭカートリッジ７２３は、この開口７２２Ａを通して副制御回路収容ケース７２２の内部に挿入され、これにより、副制御回路７２１にＲＯＭカートリッジ７２３が接続される。
【００３７】
図３に示すように、ミドルドア４０は、略矩形状の部材であり、図３中上部と下部とに分けられる。ミドルドア４０上部は、主制御ユニット７１を支持する主制御ユニットベース４０１であり、ミドルドア４０下部は、リールユニット７３を支持するリールユニットベース４０２である。
【００３８】
主制御ユニットベース４０１は、略板状であり、主制御ユニット７１を水平に支持する主制御ユニット支持部４０８と、主制御ユニット支持部４０８の上端に形成されてＲＯＭカバー７２４を覆うプレート４０４と、を備える。
主制御ユニット支持部４０８には、後述の主制御コネクタカバー７１４の凹部７１４Ｂに係止する突没可能な係止部４８と、固定手段としてのストッパー５３が挿入されるストッパー挿通孔４０２Ａ，４０２Ｂと、が形成されている。また、この主制御ユニット支持部４０８の上端は、ミドルドア４０が閉じた状態では、副制御ユニット７２の副制御回路収容ケース７２２の下端に隣接する。
【００３９】
プレート４０４は、板状の部材であり、主制御ユニットベース４０１の上端から、略鉛直方向に延出する。また、このプレート４０４の水平方向の幅は、ＲＯＭカバー７２４の幅よりも広く形成されている。これにより、後に図９を参照して詳述するように、ミドルドア４０が閉じた状態では、プレート４０４はＲＯＭカバー７２４を覆う。
【００４０】
係止部４８は、主制御ユニット支持部４０８の上端部に形成されて、主制御ユニットベース４０１に対し略垂直に延びる。また、この係止部４８は、図示しないばねにより付勢されており、これにより、ミドルドア４０が閉じた状態では主制御ユニット支持部４０８から突出し、ミドルドア４０が開いた状態では主制御ユニット支持部４０８に埋没する。
なお、ミドルドア４０の開閉に伴う係止部４８の動作については、後に詳述する。
【００４１】
リールユニットベース４０２は、リールユニット７３を支持するリールユニット支持部４０９と、このリールユニット支持部４０９の図３中左側の端縁に設けられた把持部としてのミドルドア把持部４０７と、リールユニット支持部４０９のミドルドア把持部４０７の反対側の端縁（図３中右側の端縁）に設けられた回動軸部４０６と、を備える。
また、リールユニット支持部４０９の図３中下端には、上述のストッパー挿通孔４０２Ａ，４０２Ｂと略同形のストッパー挿通孔４０２Ｃが形成されている。
【００４２】
リールユニット支持部４０９は、前面ドア２に設けられた表示窓４Ｌ，４Ｃ，４Ｒの外縁と略同形のつば４０５が設けられ、これにより略矩形状の開口が形成されている。リールユニット７３は、このつば４０５を介してミドルドア４０に取り付けられる。
【００４３】
回動軸部４０６は、リールユニット支持部４０９から図３中右側方に延びる回動軸腕部４０６Ａ，４０６Ｂと、これら回動軸腕部４０６Ａ，４０６Ｂの先端から下方に向かって形成され、上述の軸受部４３１Ａ，４３１Ｂと嵌合する円柱状の回動軸４０６Ｃ，４０６Ｄと、を備える。
この回動軸４０６Ｃ，４０６Ｄを、それぞれ、軸受部４３１Ａ，４３１Ｂに上方から挿入して嵌合することにより、ミドルドア４０は、開閉可能かつ着脱自在に前面ドア本体２ｂの支持部４３に支持される。
【００４４】
ミドルドア把持部４０７は、リールユニット支持部４０９から図３中左側方に延びる把持腕部４０７Ａ，４０７Ｂと、この把持腕部４０７Ａ，４０７Ｂの先端同士を連結し凹凸が形成された円柱状の把持部本体４０７Ｃと、を備える。
【００４５】
ストッパー５３は、棒状の部材であり、その先端側には側方に突出した爪５３１が形成され、基端側には作業者が保持するためのつまみ５３２が形成されている。
また、上述した前面ドア本体２ｂのうち、ミドルドア４０が閉じた状態でこれらストッパー挿通孔４０２Ａ，４０２Ｂ，４０２Ｃと一致する位置には、ストッパー５３の爪５３１が挿入される挿入部が形成されて、ストッパー５３の爪５３１が係止される（図示せず）。
【００４６】
ストッパー５３により、ミドルドア４０を前面ドア本体２ｂに固定する手順は次のようになる。
まず、ミドルドア４０を閉じて、ミドルドア４０のストッパー挿通孔４０２Ａ，４０２Ｂ，４０２Ｃと前面ドア本体２ｂの挿入部とをそれぞれ一致させて、ストッパー５３をストッパー挿通孔４０２Ａ，４０２Ｂ，４０２Ｃに挿通するとともに前面ドア本体２ｂの挿入部に挿入する。
【００４７】
次いで、ストッパー５３を、挿通した方向に対し略９０度回動させる。すると、ストッパー５３の爪５３１は、前面ドア本体２ｂの挿入穴に係止される。このようにして、ストッパー５３により、ミドルドア４０は、このドアが閉じた状態で前面ドア本体２ｂの裏面に固定される。
【００４８】
主制御ユニット７１は、副制御ユニット７２やリールユニット７３等を制御する主制御回路７１１と、この主制御回路７１１とリールユニット７３及び後述の電源ユニット６６等とを電気的に接続する主制御接続手段としての主制御コネクタ７１３と、主制御回路７１１を収容しミドルドア４０の主制御ユニット支持部４０８に取り付けられる主制御回路収容ケース７１２と、主制御コネクタ７１３を開閉自在に覆う主制御コネクタカバー７１４と、を備える。
【００４９】
主制御回路７１１は、遊技者による停止ボタン７Ｌ，７Ｃ，７Ｒの操作に基づいてリールユニット７３を制御する電子回路である。この主制御回路７１１は、副制御回路７２１、及び電源ユニット６６等と電気的に接続されている。
【００５０】
主制御コネクタ７１３は、主制御回路７１１から引出された図示しない配線と、上述の副制御回路７２１、ドア中継基板５４、及び電源ユニット６６等から引出された図示しない配線とを接続するコネクタである。例えば、ドア中継基板５４を介して接続された停止ボタン７Ｌ，７Ｃ、７Ｒや、副制御回路７２１等の交換作業や、主制御回路７１１と電源ユニット６６との電気的な接続に関する作業では、この主制御コネクタ７１３を抜く必要がある。
【００５１】
主制御回路収容ケース７１２は、略立方体状の収容容器であり、図３中右側の端部には図示しない開放部が形成されている。この主制御回路収容ケース７１２には、主制御回路７１１が収容され、上述の開放部が形成された位置には、主制御コネクタ７１３が、この開放部から露出するように配置されている。また、開放部が形成された端部には、係止部４８と略平行に延びるコネクタカバー開閉軸７１２Ａが設けられている。
【００５２】
主制御コネクタカバー７１４は、板状の部材であり、開閉軸取付孔７１４Ａが形成されている。この開閉軸取付孔７１４Ａに上述のコネクタカバー開閉軸７１２Ａを挿通させることにより、主制御コネクタカバー７１４は、主制御回路収容ケース７１２に開閉可能に取り付けられる。
【００５３】
また、上述の開放部から露出した主制御コネクタ７１３は、主制御コネクタカバー７１４が閉じることで覆われる。したがって、主制御コネクタ７１３の抜き差し等の作業は、主制御コネクタカバー７１４を開けた状態で行われる。
また、主制御コネクタカバー７１４の前面ドア本体２ｂ側には、上述の係止部４８が係止する凹部７１４Ｂが形成されている。
【００５４】
リールユニット７３は、円筒状の複数のリール３Ｌ，３Ｃ，３Ｒと、これらリール３Ｌ，３Ｃ，３Ｒを回転駆動するステッピングモータ４９Ｌ，４９Ｃ，４９Ｒと、これらリール３Ｌ，３Ｃ，３Ｒ及びステッピングモータ４９Ｌ，４９Ｃ，４９Ｒを収容するリールボックス７３１と、を備える。
【００５５】
また、リールユニット７３は、前面ドア２裏面の高さ方向略中央に取り付けられる。
このように前面ドア２裏面の高さ方向略中央にリールユニット７３を取り付けたことにより、台座部１０の直上で各リール３Ｌ，３Ｃ，３Ｒの図柄を表示することが可能となる。
【００５６】
リールボックス７３１は、箱状の収容容器である。このリールボックス７３１の前面には、リールユニットベース４０２のつば４０５と略同形のつば７３２が形成されており、これにより開放面が形成される。各リール３Ｌ，３Ｃ，３Ｒは、この開放面に対して略垂直にして、リールボックス７３１に収納される。また、これらリール３Ｌ，３Ｃ，３Ｒには、それぞれ、回転軸と同軸にしてステッピングモータ４９Ｌ、４９Ｃ，４９Ｒが取り付けられている。
このように構成されたリールユニット７３は、つば７３２をリールユニットベース４０２のつば４０５に合わせた状態で、図示しないねじで締め付けることにより取り付けられる。
【００５７】
図４及び図５を参照して、筐体４の内部の構成について説明する。
図４は、キャビネット６０及びキャビネット６０の内部の構成を示す正面図である。
図５は、前面ドア２の裏面及びキャビネット６０の内部の構成を示す斜視図である。
【００５８】
キャビネット６０は、箱状の収容容器であり、底板６０Ｄと、この底板６０Ｄの周縁に立設された側壁６０Ａ，６０Ｂ及び背板６０Ｅと、これら側壁６０Ａ，６０Ｂ及び背板６０Ｅの上端に設けられた天板６０Ｃと、から構成されている。
このような構成により、キャビネット６０は、前面には開放面６０１が形成されている。この開放面６０１を形成する縁の一端には、前面ドア本体２ｂが取り付けられており、これにより、前面ドア２はキャビネット６０に開閉可能に取り付けられている。
【００５９】
図５に示すように、キャビネット６０の内部には、上述のリールユニット７３、主制御ユニット７１、及び副制御ユニット７２等の遊技機１を構成する部材に電力を供給する電源ユニット６６と、メダルの収容、払出しを行うホッパー６７とが設けられている。
また、キャビネット６０内部の高さ方向略中央には、キャビネット６０内部を上下に仕切る補強板としてのミドルボード６０５が設けられている。
【００６０】
ミドルボード６０５は、略水平に取り付けられた板材である。このミドルボード６０５は、側壁６０Ａ、６０Ｂ及び背板６０Ｅに接合されている。
また、ミドルボード６０５の開放面６０１側の端縁は、前面ドア２を閉めた状態で、リールユニット７３に対応する位置に、切り欠き部６０５ｂが形成されている。つまり、リールユニット７３に対応する位置には、リールユニット７３のリールボックス７３１がキャビネット６０の内部側に向かって突出するので、切り欠き部６０５ｂは、リールボックス７３１に干渉しないように、リールボックス７３１の外形に沿った形状となっている。また、ミドルボード６０５の切り欠き部６０５ｂは、下方に向けて曲げられて断面Ｌ字形状となっている。
【００６１】
以上より、リールユニット７３を遊技者の視認し易い高さに配置して、遊技の興趣を向上しつつ、ミドルボード６０５を設けたので、筐体４の強度を確保できる。
また、ミドルボード６０５を、前面ドア２を閉めた状態でリールボックス７３１に対応する位置に、切欠部６０５ｂを設けた。これにより、切欠部６０５ｂの位置や大きさを適宜調整することで、リールユニット７３の自由度を確保できるから、リールユニット７３の位置や大きさの自由度を高くできる。
【００６２】
また、ミドルボード６０５手前側の端縁を、下方に向けて曲げたので、ミドルボード６０５に切り欠き部６０５ｂを設けても、ミドルボード６０５の強度を確保できる。
【００６３】
さらに、背板６０Ｅのミドルボード６０５より上方には、スリット６０２Ａが設けられ、ミドルボード６０５より下方には、スリット６０２Ｂ及び排熱穴６０２Ｃが設けられている。これら、スリット６０２Ａ，６０２Ｂ及び排熱穴６０２Ｃを、キャビネット６０の背面に設けることにより、筐体４の内部に籠った熱を排出できる。また、排熱穴６０２Ｃは、背面スピーカ用の穴をも兼ねている。
【００６４】
また、背板６０Ｅのうち、前面ドア２を閉じた場合に主制御ユニット７１が対面する領域６０３には、上述のような通気するための穴は形成されていない。これは、筐体４の外部から主制御ユニット７１を操作する等の不正が行われることを防止するためである。本実施形態では、図４及び図５に示すように、この領域６０３に板状の補強材６０４を設けている。これにより、主制御ユニット７１を、より確実に保護できる。
【００６５】
キャビネット６０の下部には、電源ユニット６６及びホッパー６７が、それぞれ設けられている。
ホッパー６７の正面にはメダル排出部を構成する第１排出口６７１が設けられている。ホッパー６７内に収容されたメダルは、この第１排出口６７１から排出される。また、前面ドア本体２ｂの裏側には、この第１排出口６７１から排出されたメダルを受け容れる第２排出口が設けられている（図示せず）。第１排出口６７１から排出されたメダルは、第２排出口に受け容れられ、シュート４７Ｂを通過して、前面ドア２の正面側に設けられたメダル払出口１５より払出され、メダル受け部１６に貯められる。
【００６６】
電源ユニット６６には、電源をオン／オフするスイッチと、主制御回路７１１、副制御回路７２１、及びホッパー６７などの、電力が供給される部材に接続されるコネクタと、が設けられている。
【００６７】
以上、実施例について説明したが、本発明はこれに限られるものではない。
【図面の簡単な説明】
【００６８】
【図１】遊技機の外観を示す斜視図である。
【図２】前面ドアの裏面の構成を示す斜視図である。
【図３】前面ドアの裏面の構成を示す部分斜視図である。
【図４】キャビネット及びキャビネットの内部の構成を示す正面図である。
【図５】前面ドアの裏面及びキャビネットの内部の構成を示す斜視図である。
【符号の説明】
【００６９】
１      遊技機
２      前面ドア
４      筐体
６０      キャビネット
６０５      ミドルボード
６０５ｂ    切り欠き部
７１      主制御ユニット
７２      副制御ユニット
７３      リールユニット
７３１      リールボックス
【図１】
2007202672.tif 000003
【図２】
2007202672.tif 000004
【図３】
2007202672.tif 000005
【図４】
2007202672.tif 000006
【図５】
2007202672.tif 000007